(57)【要約】      （修正有）【課題】下衣の腰回りの大きさが容易に調節可能であり、且つ、腰回りを大きく調節しても下衣がずり落ちない衣服を提供する。【解決手段】上衣は、前身頃部の裏地中央下部に脱着手段が設けられ、下衣１２は、腰回り部１９が紐状部材を挿通可能に筒状に形成され、且つ、裏地中央下部に設けられた脱着手段に対応する脱着手段２００が腰回り部１９の前側中央部２２に設けられ、紐状部材は、前側中央部２２に設けられた脱着手段２００に対応する脱着手段が設けられた腰回り寸法調節部材２４を両端に備える。【選択図】図３
0003183666.tif 000002
【実用新案登録請求の範囲】
【請求項１】
少なくとも前身頃部と後ろ身頃部とを有する上衣と、下衣とからなる衣服であって、
前記上衣は、前身頃部の裏地中央下部に脱着手段が設けられ、
前記下衣は、腰回り部が紐状部材を挿通可能に筒状に形成され、且つ、前記裏地中央下部に設けられた脱着手段に対応する脱着手段が前記腰回り部の前側中央部に設けられ、
前記紐状部材は、前記前側中央部に設けられた脱着手段に対応する脱着手段が設けられた腰回り寸法調節部材を両端に備えることを特徴とする衣服。
【請求項２】
前記裏地中央下部及び前記腰周り寸法調節部材に設けられた脱着手段はループ状に起毛された部材からなる面ファスナーで構成され、前記前側中央部に設けられた脱着手段はフック状に起毛された部材からなる面ファスナーで構成されることを特徴とする請求項１に記載の衣服。
【請求項３】
前記上衣はさらに、前記前身頃部の裏地右下部及び裏地左下部に脱着手段が夫々設けられ、前記下衣はさらに、前記裏地右下部に設けられた脱着手段に対応する脱着手段が前記腰回り部の前側右部に、前記裏地左下部に設けられた脱着手段に対応する脱着手段が前記腰回り部の前側左部に夫々設けられることを特徴とする請求項１に記載の衣服。
【請求項４】
前記裏地中央下部、前記裏地右下部及び前記裏地左下部、並びに前記腰周り寸法調節部材に設けられた脱着手段はループ状に起毛された部材からなる面ファスナーで構成され、前記前側中央部、前記前側右部及び前記前側左部に設けられた脱着手段はフック状に起毛された部材からなる面ファスナーで構成されることを特徴とする請求項３に記載の衣服。
【請求項５】
前記前側右部はさらに、前記前側右部に設けられた脱着手段に対応する脱着手段が設けられたフラップ状部材を下部に備え、前記前側左部はさらに、前記前側左部に設けられた脱着手段に対応する脱着手段が設けられたフラップ状部材を下部に備えることを特徴とする請求項３又は４に記載の衣服。
【請求項６】
前記裏地右下部は、前記上衣の右ポケットの裏地で構成され、前記裏地左下部は、前記上衣の左ポケットの裏地で構成されることを特徴とする請求項３乃至５のいずれか一項に記載の衣服。
【請求項７】
前記裏地中央下部に設けられた脱着手段は、上方に向けて幅が漸次大きくなる略逆台形状で構成されることを特徴とする請求項１乃至６のいずれか一項に記載の衣服。
【請求項８】
少なくとも前身頃部と後ろ身頃部とを有する上衣と、下衣とからなる衣服であって、
前記上衣は、前記前身頃部の裏地右下部及び裏地左下部に脱着手段が夫々設けられ、
前記下衣は、腰回り部が紐状部材を挿通可能に筒状に形成され、前記裏地右下部に設けられた脱着手段に対応する脱着手段が前記腰回り部の前側右部に、前記裏地左下部に設けられた脱着手段に対応する脱着手段が前記腰回り部の前側左部に夫々設けられ、
前記紐状部材は、前記前側右部及び前記前側左部に設けられた脱着手段に対応する脱着手段が設けられた腰回り寸法調節部材を両端に備えることを特徴とする衣服。
【請求項９】
前記裏地右下部及び前記裏地左下部、並びに前記腰周り寸法調節部材に設けられた脱着手段はループ状に起毛された部材からなる面ファスナーで構成され、前記前側右部及び前記前側左部に設けられた脱着手段はフック状に起毛された部材からなる面ファスナーで構成されることを特徴とする請求項８に記載の衣服。
【請求項１０】
前記前側右部はさらに、前記前側右部に設けられた脱着手段に対応する脱着手段が設けられたフラップ状部材を下部に備え、前記前側左部はさらに、前記前側左部に設けられた脱着手段に対応する脱着手段が設けられたフラップ状部材を下部に備えることを特徴とする請求項８又は９に記載の衣服。
【請求項１１】
前記裏地右下部は、前記上衣の右ポケットの裏地で構成され、前記裏地左下部は、前記上衣の左ポケットの裏地で構成されることを特徴とする請求項８乃至１０のいずれか一項に記載の衣服。
【考案の詳細な説明】
【技術分野】
【０００１】
本考案は、人が着用する衣服に関し、より詳しくは、腰回りの大きさが容易に調節可能であり、且つ、上衣と下衣とを連結するための脱着手段を有する衣服に関する。
【背景技術】
【０００２】
従来、ズボン等の下衣を着用する者の体系に合わせて腰回り（ウェスト部）の大きさを調節するための手段として、ベルトが用いられてきた。
【０００３】
具体的には、ベルトは一般に、革素材等からなる紐状の部材と、紐状の部材に設けられた穴に金具を通して固定するためのいわゆるバックルとからなり、紐状の部材を下衣の腰回り部に予め設けられた複数の環状部材に通し、任意の位置でバックルを固定することによって下衣の腰回りの大きさの調節が行なわれていた。
【０００４】
しかしながら、下衣はその着用を容易とするために腰回りに多少の余裕が与えられていることから、例えば就寝等するためにベルトを緩めると下衣を腰に保持する作用が働かず、下衣がずり落ちてしまう不都合が生じていた。
【０００５】
また、敷き布団の上で横たわった場合、たとえベルトを緩く調節していてもベルト自体が腰を圧迫することとなり、快適な睡眠を妨げる要因となっていた。
【考案の概要】
【考案が解決しようとする課題】
【０００６】
本考案は、以上のような事情に鑑みてなされたものである。即ち、本考案は、下衣の腰回りの大きさが容易に調節可能であり、且つ、腰回りを大きく調節しても下衣がずり落ちない衣服を提供することを目的とする。
【課題を解決するための手段】
【０００７】
以上の課題を解決するために、本考案に係る衣服は、少なくとも前身頃部と後ろ身頃部とを有する上衣と、下衣とからなる衣服であって、上衣は、前身頃部の裏地中央下部に脱着手段が設けられ、下衣は、腰回り部の後ろ側が紐状部材を挿通可能に筒状に形成され、且つ、裏地中央下部に設けられた脱着手段に対応する脱着手段が腰回り部の前側中央部に設けられ、紐状部材は、前側中央部に設けられた脱着手段に対応する脱着手段が設けられた腰回り寸法調節部材を両端に備えることを特徴とする。
【０００８】
裏地中央下部及び腰周り寸法調節部材に設けられた脱着手段はループ状に起毛された部材からなる面ファスナーで構成され、前側中央部に設けられた脱着手段はフック状に起毛された部材からなる面ファスナーで構成されても良い。
【０００９】
上衣はさらに、前身頃部の裏地右下部及び裏地左下部に脱着手段が夫々設けられ、下衣はさらに、裏地右下部に設けられた脱着手段に対応する脱着手段が腰回り部の前側右部に、裏地左下部に設けられた脱着手段に対応する脱着手段が腰回り部の前側左部に夫々設けられても良い。
【００１０】
裏地中央下部、裏地右下部及び裏地左下部、並びに腰周り寸法調節部材に設けられた脱着手段はループ状に起毛された部材からなる面ファスナーで構成され、前側中央部、前側右部及び前側左部に設けられた脱着手段はフック状に起毛された部材からなる面ファスナーで構成されても良い。
【００１１】
前側右部はさらに、前側右部に設けられた脱着手段に対応する脱着手段が設けられたフラップ状部材を下部に備え、前側左部はさらに、前側左部に設けられた脱着手段に対応する脱着手段が設けられたフラップ状部材を下部に備えても良い。
【００１２】
裏地右下部は、上衣の右ポケットの裏地で構成され、裏地左下部は、上衣の左ポケットの裏地で構成されても良い。
【００１３】
裏地中央下部に設けられた脱着手段は、上方に向けて幅が漸次大きくなる略逆台形状で構成されても良い。
【００１４】
また、本考案に係る衣服は、少なくとも前身頃部と後ろ身頃部とを有する上衣と、下衣とからなる衣服であって、上衣は、前身頃部の裏地右下部及び裏地左下部に脱着手段が夫々設けられ、下衣は、腰回り部が紐状部材を挿通可能に筒状に形成され、裏地右下部に設けられた脱着手段に対応する脱着手段が腰回り部の前側右部に、裏地左下部に設けられた脱着手段に対応する脱着手段が腰回り部の前側左部に夫々設けられ、紐状部材は、前側右部及び前側左部に設けられた脱着手段に対応する脱着手段が設けられた腰回り寸法調節部材を両端に備えることを特徴とする。
【００１５】
裏地右下部及び裏地左下部、並びに腰周り寸法調節部材に設けられた脱着手段はループ状に起毛された部材からなる面ファスナーで構成され、前側右部及び前側左部に設けられた脱着手段はフック状に起毛された部材からなる面ファスナーで構成されても良い。
【００１６】
前側右部はさらに、前側右部に設けられた脱着手段に対応する脱着手段が設けられたフラップ状部材を下部に備え、前側左部はさらに、前側左部に設けられた脱着手段に対応する脱着手段が設けられたフラップ状部材を下部に備えても良い。
【００１７】
裏地右下部は、上衣の右ポケットの裏地で構成され、裏地左下部は、上衣の左ポケットの裏地で構成されても良い。
【考案の効果】
【００１８】
本考案によれば、下衣の腰回りの大きさが容易に調節可能であり、且つ、腰回りを大きく調節しても下衣がずり落ちない衣服を提供できる。
【図面の簡単な説明】
【００１９】
【図１】本考案の一実施形態に係る衣服を示した図である。
【図２】本考案の一実施形態に係る上衣を、前身頃部を開いた状態で示した図である。
【図３】本考案の一実施形態に係る下衣を、斜め方向より見た状態で示した図である。
【図４ａ】本考案の一実施形態に係る下衣の腰回り部の大きさを調節するための紐状部材を、前方より見た状態で示した図である。
【図４ｂ】本考案の一実施形態に係る下衣の腰回り部の大きさを調節するための紐状部材を、後方より見た状態で示した図である。
【図５ａ】本考案の一実施形態に係る下衣の腰回り部の大きさを、小さく調節した状態を示した図である。
【図５ｂ】本考案の一実施形態に係る下衣の腰回り部の大きさを、大きく調節した状態を示した図である。
【図６】本考案の他の実施形態に係る上衣を、前身頃部を開いた状態で示した図である。
【図７】本考案の他の実施形態に係る下衣を、斜め方向より見た状態で示した図である。
【図８】本考案の他の実施形態に係る衣服を示した図である。
【図９】本考案の他の実施形態に係る上衣を、前身頃部を開いた状態で示した図である。
【図１０】本考案の他の実施形態に係る下衣を、斜め方向より見た状態で示した図である。
【図１１ａ】本考案の他の実施形態に係る下衣の腰回り部の大きさを調節するための紐状部材を、前方より見た状態で示した図である。
【図１１ｂ】本考案の他の実施形態に係る下衣の腰回り部の大きさを調節するための紐状部材を、後方より見た状態で示した図である。
【図１２ａ】本考案の他の実施形態に係る下衣の腰回り部の大きさを、小さく調節した状態を示した図である。
【図１２ｂ】本考案の他の実施形態に係る下衣の腰回り部の大きさを、大きく調節した状態を示した図である。
【図１３】本考案のさらに他の実施形態に係る上衣を示した図である。
【考案を実施するための形態】
【００２０】
以下、図面を参照しながら本考案に係る衣服の一実施形態を詳細に説明する。なお、本明細書における左右は、本考案に係る衣服を着用した場合における左右、即ち着用者からみた左右を基準とする。上下についても同様とする。
【００２１】
図１は、本実施形態に係る衣服１０を示した図である。図示されるように、本実施形態に係る衣服１０は、上衣１１と下衣１２とを備えている。
【００２２】
上衣１１は、ファスナーにより左右に分割可能な前身頃部１３ａ、右腕を覆う右袖部１４、左腕を覆う左袖部１５及び後ろ身頃部１３ｂから構成されている。上衣１１の前身頃部１３ａの裏地中央下部１６には脱着手段１００が、裏地右下部１７には脱着手段１０１が、裏地左下部１８には脱着手段１０２がそれぞれ設けられている。
【００２３】
前身頃部１３ａの裏地中央下部１６、裏地右下部１７及び裏地左下部１８にそれぞれ設けられる脱着手段としては種々の手段から適宜選択することが可能であるが、例えば、マジックテープ（登録商標）など、いわゆる面ファスナーと呼ばれる面脱着手段を用いることができる。
【００２４】
いわゆる面ファスナーの一例としては、ループ状に起毛された部材と、それに対応するフック状に起毛された部材とからなるものが挙げられる。このような面ファスナーは、ループ状に起毛された部材とフック状に起毛された部材とを押し付けることで連結し、引き離すことで剥がすことができる。フックは弾性を有する素材からなっているため、繰り返し脱着可能である。
【００２５】
前身頃部１３ａの裏地中央下部１６に設けられた脱着手段１００は上方ほどその幅が大きくなる逆台形状に構成されている。これにより、着用する者が姿勢を変化させても、前身頃部１３ａの裏地中央下部１６に設けられた脱着手段１００とそれに対応する腰回り部の前側中央部２２に設けられた脱着手段２００とを容易に連結することが可能となり、着用する者の体型にも影響され難くなる効果を奏する。腰回り部１９の前側中央部２２に設けられた脱着手段２００については後述する。
【００２６】
前身頃部１３ａの裏地右下部１７及び裏地左下部１８は、それぞれ右ポケット部及び左ポケット部の裏地から構成されても良い。
【００２７】
図２は、本実施形態に係る上衣１１を、前身頃部１３ａを開いた状態で示した図である。図示されるように、前身頃部１３ａはファスナーを開くことで左右に分割可能であり、前身頃部１３ａの裏地中央下部１６も、ファスナーを開くことで左右に分割される構成となっている。
【００２８】
図３は、本実施形態に係る下衣１２を、斜め方向より見た状態で示した図である。図示されるように、下衣１２は、腰回り寸法調節部材２４を両端に備える紐状部材２９を腰回り部１９に有しており、具体的には、筒状に形成された腰回り部１９の内部に紐状部材２９が挿通されている。以下、腰回り部１９の前側２０及び後ろ側２１のそれぞれの構成について説明する。
【００２９】
まず、腰回り部１９の前側２０の構成について説明する。
【００３０】
腰回り部１９の前側中央部２２、前側右部２５及び前側左部２６には、それぞれに脱着手段が設けられている。前側中央部２２に設けられている脱着手段２００は前身頃部１３ａの裏地中央部１６に設けられた脱着手段１００に対応する脱着手段であり、前側右部２５に設けられている脱着手段２０１は前身頃部１３ａの裏地右下部１７に設けられた脱着手段１０１に対応する脱着手段であり、前側左部２６に設けられている脱着手段２０２は前身頃部１３ａの裏地左下部１８に設けられた脱着手段１０２に対応する脱着手段である。
【００３１】
前側中央部２２、前側右部２５及び前側左部２６にそれぞれ設けられる脱着手段としては種々の手段から適宜選択することが可能であるが、例えば、マジックテープ（登録商標）など、いわゆる面ファスナーと呼ばれる面脱着手段を用いることができる。
【００３２】
紐状部材２９の両端に備えられる腰回り寸法調節部材２４は、腰回り部１９の前側中央部２２に設けられた脱着手段２００に対応する脱着手段３００をその裏側に備えており、腰回り寸法調節部材２４の位置を左右方向に調節することにより、腰回りの大きさ、即ちウェストのサイズを調節することが可能な構成となっている。
【００３３】
腰回り部１９の前側右部２５及び前側左部２６には、フラップ状部材２７及びフラップ状部材２８がそれぞれの下部に設けられている。フラップ状部材２７には腰回り部１９の前側右部２５に設けられた脱着手段２０１に対応する脱着手段２０３が設けられており、腰回り部１９の前側右部２５に設けられた脱着手段２０１と前身頃部１３ａの裏地右下部１７に設けられた脱着手段１０１とを連結させない場合に、フラップ状部材２７で腰回り部１９の前側右部２５を覆うことが可能な構成となっている。フラップ状部材２８についても同様に、腰回り部１９の前側左部２６に設けられた脱着手段２０２に対応する脱着手段２０４が設けられており、腰回り部１９の前側左部２６に設けられた脱着手段２０２と前身頃部１３ａの裏地左下部１８に設けられた脱着手段１０２とを連結させない場合に、フラップ状部材２８で腰回り部１９の前側左部２６を覆うことが可能な構成となっている。フラップ状部材２８及びフラップ状部材２９の大きさについては、適宜調節して良い。
【００３４】
フラップ状部材２７及びフラップ状部材２８にそれぞれ設けられる脱着手段としては種々の手段から適宜選択することが可能であるが、例えば、マジックテープ（登録商標）など、いわゆる面ファスナーと呼ばれる面脱着手段を用いることができる。
【００３５】
次に、腰回り部１９の後ろ側２１の構成について説明する。
【００３６】
腰回り部１９の後ろ側２１は蛇腹状に形成されており（蛇腹状部２３）、後述する腰回り（ウェスト）の調節に伴った腰回り部１９の大きさの変化を許容可能な構成となっている。
【００３７】
図４ａは、紐状部材２９を前方より見た状態で示した図である。図示されるように、紐状部材２９は、腰回り寸法調節部材２４をその両端に備えている。紐状部材２９の素材については特に限定されず、いわゆる織りゴム等からなる伸縮部材３０から一部又は全部が構成されても良い。
【００３８】
図４ｂは、紐状部材２９を後方より見た状態で示した図である。図示されるように、紐状部材２９の両端に備えられる腰回り寸法調節部材２４は、腰回り部１９の前側中央部２２に設けられた脱着手段２００に対応する脱着手段３００をその裏側に備えている。なお、脱着する際に腰回り寸法調節部材２４を容易につまめるよう、脱着手段３００は腰回り寸法調節部材２４の先端部を除いた範囲に備えられるとより好ましい。
【００３９】
腰回り寸法調節部材２４に設けられる脱着手段としては種々の手段から適宜選択することが可能であるが、例えば、マジックテープ（登録商標）などの面脱着手段を用いることができる。
【００４０】
次に、図５ａ及び図５ｂを参照しながら、腰回り部１９の大きさを調節する際の動作について説明する。
【００４１】
図５ａは、腰回り部１９の大きさを小さく、即ち腰回り（ウェスト）をきつく調節した状態を示した図である。図示されるように、腰回りをきつく調節する場合は、紐状部材２９の両端に備えられた腰回り寸法調節部材２４を前側中央部２２の中心寄りの位置に移動する。腰回り寸法調節部材２４の裏側に備えられた脱着手段３００と前側中央部２２に設けられた脱着手段２００とは対応する脱着手段であるため、腰回り寸法調節部材２４を任意の位置で固定することができる。
【００４２】
腰回り部１９の前側中央部２２には、腰回り寸法調節部材２４を左右均等に固定することを補助するため、複数のガイド線３１が設けられているとより好ましい。ガイド線３１は、例えば前側中央部２２に設けられた脱着手段２００と異なる色からなる糸を縫い付けることにより構成されても良く、前側中央部２２に設けられた脱着手段２００と異なる色の染料で着色することにより構成されても良い。
【００４３】
腰回りをきつく調節した場合は下衣１２がずり落ちる心配がないことから、腰回り部１９の前側右部２５に設けられた脱着手段２０１及び前側左部２６に設けられた脱着手段２０２についてはその使用を省略しても良い。この場合、前側右部２５についてはその下部に設けられているフラップ状部材２７で覆うことにより、前側右部２５に設けられた脱着手段２０１と前身頃部１３ａの裏地右下部１７に設けられた脱着手段１０１とが連結することを防ぐことができる。前側左部２６についても同様に、その下部に設けられているフラップ状部材２８で覆うことにより、前側左部２６に設けられた脱着手段２０２と前身頃部１３ａの裏地左下部１８に設けられた脱着手段１０２とが連結することを防ぐことができる。
【００４４】
図５ｂは、腰回り部１９の大きさを大きく、即ち腰回り（ウェスト）を緩く調節した状態を示した図である。図示されるように、腰回りを緩く調節する場合は、紐状部材２９の両端に備えられた腰回り寸法調節部材２４を前側中央部２２の中心から離れた位置に移動する。腰回り寸法調節部材２４の裏側に備えられた脱着手段３００と前側中央部２２に設けられた脱着手段２００とは対応する脱着手段であるため、腰回り寸法調節部材２４を任意の位置で固定することができる。
【００４５】
腰回りを緩く調節した場合は下衣１２がずり落ちる心配があることから、腰回り部１９の前側中央部に設けられた脱着手段２００と前身頃部１３ａの裏地中央下部１６の設けられた脱着手段１００との連結作用を補助するため、腰回り部１９の前側右部２５に設けられた脱着手段２０１及び前側左部２６に設けられた脱着手段２０２についてはその使用を行うことが好ましい。この場合、前側右部２５についてはその下部に設けられているフラップ状部材２７を剥がすことにより、前側右部２５に設けられた脱着手段２０１と前身頃部１３ａの裏地右下部１７に設けられた脱着手段１０１とを連結することができる。前側左部２６についても同様に、その下部に設けられているフラップ状部材２８を剥がすことにより、前側左部２６に設けられた脱着手段２０２と前身頃部１３ａの裏地左下部１８に設けられた脱着手段１０２とを連結することができる。
【００４６】
以上説明したように、本実施形態によれば、腰回り寸法調節部材２４を固定する位置を変更することで容易に腰回り、即ちウェストのサイズを調節することができ、また、下衣１２の腰回りを緩く調節した場合でも下衣１２がずり落ちる心配がない。
【００４７】
なお、例えばループ状に起毛された部材とフック状に起毛された部材とからなる面ファスナーを脱着手段として用いる場合、前身頃部１３ａの裏地中央下部１６に設けられる脱着手段１００、裏地右下部１７に設けられる脱着手段１０１及び裏地左下部１８に設けられる脱着手段１０２、並びに腰回り寸法調節部材２４に設けられる脱着手段３００をループ状に起毛された部材とし、腰回り部１９の前側中央部２２に設けられる脱着手段２００、前側右部２５に設けられる脱着手段２０１及び前側左部２６に設けられる脱着手段２０２をフック状に起毛された部材とするとより好ましい。
【００４８】
このような組み合わせから脱着手段を構成すると、本実施形態に係る上衣１１の下に肌着を着用していない場合でも、前身頃部１３ａの裏地中央下部１６に設けられる脱着手段１００、裏地右下部１７に設けられる脱着手段１０１及び裏地左下部１８に設けられる脱着手段１０２がループ状に起毛されていることから肌触りを損ねることがない。また、フック状に起毛された部材はその構造上ほこりなどが付きやすい性質を有しているため、前身頃部１３ａの裏地中央下部１６、裏地右下部１７及び裏地左下部１８に対して面積の小さい腰回り部１９の前側中央部２２、前側右部２５及び前側左部２６に設けられる脱着手段をフック状に起毛された部材とすることにより、ほこりなどを取り除く手間を減らすことができる。
【００４９】
以上説明した実施形態では、上衣と下衣とを連結するための脱着手段の一つ目の組み合わせとして脱着手段１００及び脱着手段２００を、二つ目の組み合わせとして脱着手段１０１及び脱着手段２０１を、三つ目の組み合わせとして脱着手段１０２及び脱着手段２０２を備えていたが、二つ目の組み合わせである脱着手段１０１及び脱着手段２０１、並びに三つ目の組み合わせである脱着手段１０２及び脱着手段２０２については、省略することが可能である。以下、上衣と下衣とを連結するための脱着手段として脱着手段１００及び脱着手段２００のみを備えた形態について、図６及び図７を参照しながら説明する。
【００５０】
図６は、本実施形態に係る上衣４１を示した図である。図示されるように、上衣４１は、下衣４２と連結するための脱着手段として、ファスナーにより左右に分割可能な前身頃部４３ａの裏地中央下部１６に脱着手段１００を備えている。
【００５１】
図７は、本実施形態に係る下衣４２を、斜め方向より見た状態で示した図である。図示されるように、下衣４２は、上衣４１と連結するための脱着手段として、前身頃部４３ａの裏地中央下部１６に設けられた脱着手段１００に対応する脱着手段２００を腰回り部１９の前側中央部２２に備えている。
【００５２】
以上説明したように、本実施形態によれば、上衣と下衣とを連結するための脱着手段として脱着手段１００及び脱着手段２００のみを備えた衣服を提供できる。
【００５３】
また、他の実施形態として、上述した上衣と下衣とを連結するための脱着手段の組み合わせのうち、一つ目の組み合わせに相当する脱着手段を省略することも可能である。以下、上衣と下衣とを連結するための脱着手段として二つ目の組み合わせに相当する脱着手段、及び三つ目の組み合わせに相当する脱着手段を備えた形態について、図８乃至図１２ｂを参照しながら説明する。
【００５４】
図８は、本実施形態に係る衣服５０を示した図である。上衣５１は、下衣５２と連結するための脱着手段として、前身頃部５３ａの裏地右下部１７に脱着手段１０１が、裏地左下部１８に脱着手段１０２がそれぞれ設けられている。
【００５５】
前身頃部５３ａの裏地右下部１７及び裏地左下部１８にそれぞれ設けられる脱着手段としては種々の手段から適宜選択することが可能であるが、例えば、マジックテープ（登録商標）など、いわゆる面ファスナーと呼ばれる面脱着手段を用いることができる。
【００５６】
いわゆる面ファスナーの一例としては、ループ状に起毛された部材と、それに対応するフック状に起毛された部材とからなるものが挙げられる。このような面ファスナーは、ループ状に起毛された部材とフック状に起毛された部材とを押し付けることで連結し、引き離すことで剥がすことができる。フックは弾性を有する素材からなっているため、繰り返し脱着可能である。
【００５７】
前身頃部５３ａの裏地右下部１７及び裏地左下部１８は、それぞれ右ポケット部及び左ポケット部の裏地から構成されても良い。
【００５８】
図９は、本実施形態に係る上衣５１を、前身頃部５３ａを開いた状態で示した図である。図示されるように、前身頃部５３ａはファスナーを開くことで左右に分割可能である。
【００５９】
図１０は、本実施形態に係る下衣５２を、斜め方向より見た状態で示した図である。図示されるように、下衣５２は、腰回り寸法調節部材６４を両端に備える紐状部材６９を腰回り部５９に有しており、具体的には、筒状に形成された腰回り部５９の内部に紐状部材６９が挿通されている。以下、腰回り部５９の前側６０及び後ろ側６１のそれぞれの構成について説明する。
【００６０】
まず、腰回り部５９の前側６０の構成について説明する。
【００６１】
腰回り部５９の前側右部６５及び前側左部６６には、それぞれに脱着手段が設けられている。前側右部６５に設けられている脱着手段５０１は前身頃部５３ａの裏地右下部１７に設けられた脱着手段１０１に対応する脱着手段であり、前側左部６６に設けられている脱着手段５０２は前身頃部５３ａの裏地左下部１８に設けられた脱着手段１０２に対応する脱着手段である。
【００６２】
前側右部６５及び前側左部６６にそれぞれ設けられる脱着手段としては種々の手段から適宜選択することが可能であるが、例えば、マジックテープ（登録商標）など、いわゆる面ファスナーと呼ばれる面脱着手段を用いることができる。
【００６３】
紐状部材６９の両端に備えられる腰回り寸法調節部材６４は、腰回り部５９の前側右部６５及び前側左部６６に設けられた脱着手段５０１及び脱着手段５０２に対応する脱着手段４００をその表側に備えており、腰回り寸法調節部材６４を折り返した上でその位置を左右方向に調節することにより、腰回りの大きさ、即ちウェストのサイズを調節することが可能な構成となっている。腰回り寸法調節部材６４を折り返す部位については、例えば環状の部材（図示せず）を設けることにより補強することができ、このような部材を設ける際は、いわゆるたこ付けと呼ばれる縫製を行うと好ましい。
【００６４】
腰回り部５９の前側右部６５及び前側左部６６には、フラップ状部材６７及びフラップ状部材６８がそれぞれの下部に設けられている。フラップ状部材６７には腰回り部５９の前側右部６５に設けられた脱着手段５０１に対応する脱着手段５０３が設けられており、腰回り部５９の前側右部６５に設けられた脱着手段５０１と前身頃部５３ａの裏地右下部１７に設けられた脱着手段１０１とを連結させない場合に、フラップ状部材６７で腰回り部５９の前側右部６５を覆うことが可能な構成となっている。フラップ状部材６８についても同様に、腰回り部５９の前側左部６６に設けられた脱着手段５０２に対応する脱着手段５０４が設けられており、腰回り部５９の前側左部６６に設けられた脱着手段５０２と前身頃部５３ａの裏地左下部１８に設けられた脱着手段１０２とを連結させない場合に、フラップ状部材６８で腰回り部５９の前側左部６６を覆うことが可能な構成となっている。フラップ状部材６８及びフラップ状部材６９の大きさについては、適宜調節して良い。
【００６５】
フラップ状部材６７及びフラップ状部材６８にそれぞれ設けられる脱着手段としては種々の手段から適宜選択することが可能であるが、例えば、マジックテープ（登録商標）など、いわゆる面ファスナーと呼ばれる面脱着手段を用いることができる。
【００６６】
次に、腰回り部５９の後ろ側６１の構成について説明する。
【００６７】
腰回り部５９の後ろ側６１は蛇腹状に形成されており（蛇腹状部６３）、後述する腰回り（ウェスト）の調節に伴った腰回り部５９の大きさの変化を許容可能な構成となっている。
【００６８】
図１１ａは、紐状部材６９を前方より見た状態で示した図である。図示されるように、紐状部材６９の両端に備えられる腰回り寸法調節部材６４は、腰回り部５９の前側右部６５及び前側左部６６に設けられた脱着手段５０１及び脱着手段５０２に対応する脱着手段４００をその表側に備えている。なお、脱着する際に腰回り寸法調節部材６４を容易につまめるよう、脱着手段４００は腰回り寸法調節部材６４の先端部を除いた範囲に備えられるとより好ましい。
【００６９】
図１１ｂは、紐状部材６９を後方より見た状態で示した図である。紐状部材６９の素材については特に限定されず、いわゆる織りゴム等からなる伸縮部材７０から一部又は全部が構成されても良い。
【００７０】
腰回り寸法調節部材６４に設けられる脱着手段としては種々の手段から適宜選択することが可能であるが、例えば、マジックテープ（登録商標）などの面脱着手段を用いることができる。
【００７１】
次に、図１２ａ及び図１２ｂを参照しながら、腰回り部５９の大きさを調節する際の動作について説明する。
【００７２】
図１２ａは、腰回り部５９の大きさを小さく、即ち腰回り（ウェスト）をきつく調節した状態を示した図である。図示されるように、腰回りをきつく調節する場合は、紐状部材６９の両端に備えられた腰回り寸法調節部材６４を引っ張りながら折り返す。腰回り寸法調節部材６４の表側に備えられた脱着手段４００は、前側右部６５に設けられた脱着手段５０１及び前側左部６６に設けられた脱着手段５０２に対応する脱着手段であるため、腰回り寸法調節部材６４を任意の位置で固定することができる。
【００７３】
腰回りをきつく調節した場合は下衣５２がずり落ちる心配がないことから、腰回り部５９の前側右部６５に設けられた脱着手段５０１及び前側左部６６に設けられた脱着手段５０２をそれぞれ裏地右下部１７に設けられた脱着手段１０１及び裏地左下部１８に設けられた脱着手段１０２に連結しなくても良い。この場合、前側右部６５についてはその下部に設けられているフラップ状部材６７で覆うことにより、前側右部６５に設けられた脱着手段５０１と前身頃部５３ａの裏地右下部１７に設けられた脱着手段１０１とが連結することを防ぐことができる。前側左部６６についても同様に、その下部に設けられているフラップ状部材６８で覆うことにより、前側左部６６に設けられた脱着手段５０２と前身頃部５３ａの裏地左下部１８に設けられた脱着手段１０２とが連結することを防ぐことができる。
【００７４】
図１２ｂは、腰回り部５９の大きさを大きく、即ち腰回り（ウェスト）を緩く調節した状態を示した図である。図示されるように、腰回りを緩く調節する場合は、紐状部材６９の両端に備えられた腰回り寸法調節部材６４を引っ張らずに折り返す。腰回り寸法調節部材６４の表側に備えられた脱着手段４００は、前側右部６５に設けられた脱着手段５０１及び前側左部６６に設けられた脱着手段５０２に対応する脱着手段であるため、腰回り寸法調節部材６４を任意の位置で固定することができる。
【００７５】
腰回りを緩く調節した場合は下衣５２がずり落ちる心配があることから、腰回り部５９の前側右部６５に設けられた脱着手段５０１及び前側左部６６に設けられた脱着手段５０２についてはその使用を行うことが好ましい。この場合、前側右部６５についてはその下部に設けられているフラップ状部材６７を剥がすことにより、前側右部６５に設けられた脱着手段５０１と前身頃部５３ａの裏地右下部１７に設けられた脱着手段１０１とを連結することができる。前側左部６６についても同様に、その下部に設けられているフラップ状部材６８を剥がすことにより、前側左部６６に設けられた脱着手段５０２と前身頃部５３ａの裏地左下部１８に設けられた脱着手段１０２とを連結することができる。
【００７６】
以上説明したように、本実施形態によれば、腰回り寸法調節部材６４を固定する位置を変更することで容易に腰回り、即ちウェストのサイズを調節することができ、また、下衣５２の腰回りを緩く調節した場合でも下衣５２がずり落ちる心配がない。
【００７７】
なお、例えばループ状に起毛された部材とフック状に起毛された部材とからなる面ファスナーを脱着手段として用いる場合、前身頃部５３ａの裏地右下部１７に設けられる脱着手段１０１及び裏地左下部１８に設けられる脱着手段１０２、並びに腰回り寸法調節部材６４に設けられる脱着手段４００をループ状に起毛された部材とし、腰回り部５９の前側右部６５に設けられる脱着手段５０１及び前側左部６６に設けられる脱着手段５０２をフック状に起毛された部材とするとより好ましい。
【００７８】
このような組み合わせから脱着手段を構成すると、本実施形態に係る上衣５１の下に肌着を着用していない場合でも、前身頃部５３ａの裏地右下部１７に設けられる脱着手段１０１及び裏地左下部１８に設けられる脱着手段１０２がループ状に起毛されていることから肌触りを損ねることがない。また、フック状に起毛された部材はその構造上ほこりなどが付きやすい性質を有しているため、前身頃部５３ａの裏地右下部１７及び裏地左下部１８に対して面積の小さい腰回り部５９の前側右部６５及び前側左部６６に設けられる脱着手段をフック状に起毛された部材とすることにより、ほこりなどを取り除く手間を減らすことができる。
【００７９】
以上、本考案の好適な実施形態について説明したが、本考案は上記の実施形態に限定されるものではなく、本考案の趣旨を逸脱しない範囲において種々の改変が可能であることは言うまでもない。
【００８０】
例えば、図１３に示される上衣７１の前身頃部７３ａのように、本考案に係る衣服の上衣は前身頃部を左右に分割するための機構を備えていなくても良い。また、前身頃部を左右に分割するための機構を備える場合であってもファスナーに限られず、ボタンやスナップボタンといった留め具であっても良く、面ファスナーであっても良い。
【符号の説明】
【００８１】
１０    衣服
１１    上衣
１２    下衣
１３ａ  前身頃部
１３ｂ  後ろ身頃部
１４    右袖部
１５    左袖部
１６    裏地中央下部
１７    裏地右下部
１８    裏地左下部
１９    腰回り部
２０    前側
２１    後ろ側
２２    前側中央部
２３    蛇腹状部
２４    腰回り寸法調節部材
２５    前側右部
２６    前側左部
２７    フラップ状部材
２８    フラップ状部材
２９    紐状部材
３０    伸縮部材
３１    ガイド線
４１    上衣
４２    下衣
４３ａ  前身頃部
４３ｂ  後ろ身頃部
５１    上衣
５２    下衣
５３ａ  前身頃部
５３ｂ  後ろ身頃部
５９    腰回り部
６０    前側
６１    後ろ側
６３    蛇腹状部
６４    腰回り寸法調節部材
６５    前側右部
６６    前側左部
６７    フラップ状部材
６８    フラップ状部材
６９    紐状部材
７０    伸縮部材
７１    上衣
７３ａ  前身頃部
１００    脱着手段
１０１    脱着手段
１０２    脱着手段
２００    脱着手段
２０１    脱着手段
２０２    脱着手段
２０３    脱着手段
２０４    脱着手段
３００    脱着手段
４００    脱着手段
５０１    脱着手段
５０２    脱着手段
５０３    脱着手段
５０４    脱着手段
【図１】
0003183666.tif 000003
【図２】
0003183666.tif 000004
【図３】
0003183666.tif 000005
【図４ａ】
0003183666.tif 000006
【図４ｂ】
0003183666.tif 000007
【図５ａ】
0003183666.tif 000008
【図５ｂ】
0003183666.tif 000009
【図６】
0003183666.tif 000010
【図７】
0003183666.tif 000011
【図８】
0003183666.tif 000012
【図９】
0003183666.tif 000013
【図１０】
0003183666.tif 000014
【図１１ａ】
0003183666.tif 000015
【図１１ｂ】
0003183666.tif 000016
【図１２ａ】
0003183666.tif 000017
【図１２ｂ】
0003183666.tif 000018
【図１３】
0003183666.tif 000019